(57)【要約】【課題】鎖錠ばね片や押圧ばね片にかかる応力を緩和して接続信頼性を向上させた端子装置を提供するにある。【解決手段】端子装置は、収納される器体３に開口した電線挿入孔５から挿入される電線６の挿入方向に並行するように配置される端子板１０ａと、端子板１０ａに対して電線挿入孔５を開口を挟んで並行配置される錠ばね２とで構成される。錠ばね２は端子板１０ａと並行配置される基片２０と、基片２０の電線挿入孔５側に位置する一端から他端側へ端子板１０ａに近づく方向に斜め形成した鎖錠ばね片２１と、基片２０の他端から一端側へ端子板１０ａに近づく方向に斜め形成した押圧ばね片２２とを設け、両ばね片２１，２２を交差させている。【選択図】図１
2004063211.tif 000002
【特許請求の範囲】
【請求項１】
収納用の器体に開口した電線挿入孔から挿入される電線の挿入方向に並行するように配置される端子板と、この端子板に対して電線挿入孔を挟んで並行配置される錠ばねとで構成され、
錠ばねには、端子板と並行配置される基片と、この基片の電線挿入孔側に位置する一端から他端側へ向けて、且つ先端が端子板に近づくように一体延出した鎖錠ばね片と、該鎖錠ばね片と交差するように、基片の他端から一端側へ向けて、且つ先部が端子板に近づくように一体延出した押圧ばね片とを有し、上記電線挿入孔から上記器体内に挿入された電線の心線を上記押圧ばね片の先部で上記端子板側へ押圧して該先部と上記端子板との間で挟持するとともに上記鎖錠ばね片の先端で上記電線の心線を鎖錠することを特徴とする端子装置。
【請求項２】
上記錠ばねの基片側端より該基片に直交する方向に一体延出した先端に上記端子板を一体形成していることを特徴とする請求項１記載の端子装置。
【請求項３】
並行配置される一対の錠ばねの基片を連結して一体化し、該基片の両側端より上記腕片を夫々一体延出していることを特徴とする請求項２記載の端子装置。
【発明の詳細な説明】
【０００１】
【発明の属する技術分野】
本発明は、配線器具などに内蔵される端子装置に関するものである。
【０００２】
【従来の技術】
速結端子型の端子装置は、図８に示すように配線器具の器体３内に設けた収納部４に端子金具１と、錠ばね２とを内蔵されて使用されるのであるが、器体３の底部に開口した電線挿入孔５に対する電線６の挿入方向（矢印方向）と並行する形で端子金具１の端子板１０ａを配置し、この端子板１０ａに対して電線挿入孔５の開口を挟んで並行する形で錠ばね２が配置される。この錠ばね２は端子金具１の端子板１０ａに並行する端子板１０ｂに基片２０の板面を接触させることで端子金具１と電気的に接続されている。
【０００３】
そして基片２０の電線挿入孔５側の一端からは斜め方向に鎖錠ばね片２１が延出形成され、他端からはＵ字状に折り曲げられた押圧ばね片２０ｃを延出形成され、その先端を鎖錠ばね片２１の先端位置よりも電線挿入方向の前方へ配置してある。
【０００４】
而して電線挿入孔５から挿入された電線６の心線６ａは鎖錠ばね片２１の先端と端子板１０ａの板面との間に圧入される形で前方に移動して先部が押圧ばね片２０ｃの先部により端子板１０ａに押圧されて挟持され、鎖錠ばね片２１の先端により端子板１０ａへ押される形で鎖錠される。
【０００５】
【発明が解決しようとする課題】
上記従来例の端子装置では、鎖錠ばね片２１の基端と先端との間の距離が短く、そのため電線６の心線６ａが鎖錠ばね片２１の先端と端子板１０ａの板面との間に圧入される際に鎖錠ばね片２１に大きな応力がかかってへたりが生じ接続信頼性が低下するという問題があった。
【０００６】
本発明は、上記の点に鑑みて為されたもので、その目的とするところは鎖錠ばね片や押圧ばね片にかかる応力を緩和して接続信頼性を向上させた端子装置を提供するにある。
【０００７】
【課題を解決するための手段】
請求項１の発明では、収納用の器体に開口した電線挿入孔から挿入される電線の挿入方向に並行するように配置される端子板と、この端子板に対して電線挿入孔を挟んで並行配置される錠ばねとで構成され、錠ばねには、端子板と並行配置される基片と、この基片の電線挿入孔側に位置する一端から他端側へ向けて、且つ先端が端子板に近づくように一体延出した鎖錠ばね片と、該鎖錠ばね片と交差するように、基片の他端から一端側へ向けて、且つ先部が端子板に近づくように一体延出した押圧ばね片とを有し、上記電線挿入孔から上記器体内に挿入された電線の心線を上記押圧ばね片の先部で上記端子板側へ押圧して該先部と上記端子板との間で挟持するとともに上記鎖錠ばね片の先端で上記電線の心線を鎖錠することを特徴とする。
【０００８】
請求項２の発明では、請求項１の発明において、上記錠ばねの基片側端より該基片に直交する方向に一体延出した先端に上記端子板を一体形成していることを特徴とする。
【０００９】
請求項３の発明では、請求項２の発明において、並行配置される一対の錠ばねの基片を連結して一体化し、該基片の両側端より上記腕片を夫々一体延出していることを特徴とする。
【００１０】
【発明の実施の形態】
以下本発明を実施形態により説明する。
（実施形態１）
図１は本実施形態の端子装置を配線器具の器体３内に設けた収納部４に収納した状態を示しており、従来例と同様に端子金具１と、錠ばね２とで構成される。
【００１１】
そして従来と同様に器体３の底部に開口した電線挿入孔５に対する電線６の挿入方向と並行する形で端子金具１の端子板１０ａを配置し、この端子板１０ａに対して電線挿入孔５の開口を挟んで並行する形で錠ばね２が配置される。この錠ばね２は端子金具１の端子板１０ａに並行する端子板１０ｂの板面に基片２０の背面を接触させることで端子金具１と電気的に接続されている。
【００１２】
ここで本実施形態に用いる錠ばね２は、図１に示すように基片２０の電線挿入孔５側に位置する一端から他端側へ向けて、且つ先端が端子板１０ａに近づくように延出形成した鎖錠ばね片２１と、基片２０の他端から一端側へ向けて、且つ先部が端子板１０ａに近づくように延出形成した押圧ばね片２２とを設けて両ばね片２１，２２を交差させている点に特徴がある。そして鎖錠ばね片２１の側部に設けた凹欠部２３ａ及び押圧ばね片２２の対応する側部に設けた凹欠部２３ｂが互いのばね片２１，２２を交差させる際の逃げとなっている。
【００１３】
而して電線挿入孔５から器体３内に挿入された電線６の心線６ａはまず押圧ばね片２２の先部と端子板１０ａの板面との間に圧入される形で挿入されて前方へ通過し、その後前方の鎖錠ばね片２１の先端と端子板１０ａとの間に圧入される。
【００１４】
そして鎖錠ばね片２１の先端で心線６ａが端子板１０ａ側へ押圧される形で鎖錠され、また押圧ばね片２２の先部と端子板１０ａの板面との間に挟持される。
【００１５】
以上のように構成した本実施形態では鎖錠ばね片２１及び押圧ばね片２２の基端から先端までの寸法を従来例に比して長くすることができ、そのため各ばね片２１、２２に加わる応力を緩和することができる。
（実施形態２）
上記実施形態１は端子板１０ａと錠ばね２とは別体に形成しているが、図３に示すように基片２０の側端より基片２０に直交する方向に腕片２３を一体延出し、更にこの腕片２３の先端から基片２０と並行するように端子板１０ａを一体形成しても良く、この場合打ち抜きと折り曲げ加工により一枚の金属板から端子装置を一つの部品として形成できる。
【００１６】
尚電源端子と送り端子というように一対の端子装置を用いる場合には、図４に示すように並行配置される一対の錠ばね２、２の基片２０を幅広な一つの板片で形成して共通化し、その基片２０の両側端より各錠ばね２，２に対応する腕片２３，２３を一体延出してその先端部に端子板１０ａ、１０ａを形成すれば、打ち抜きと折り曲げ加工により一枚の金属板から一対の端子装置を一つの部品として形成できる。
【００１７】
ところで速結端子構造の端子装置としては、図５に示すよう逆Ｕ字状に折り曲げた端子板３０の中央部に孔３１を穿設し、その孔３１の両側開口縁間で図６に示すように電線６の心線６ａを鎖錠する構成のものがある。
【００１８】
つまり端子装置は図６に示すように器体３の収納部４の底部に設けた電線挿入孔５の中心位置よりも偏倚した位置で且つ電線挿入孔５の開口面に対して孔３１の開口面が斜めとなるように端子板３０を配置する。これにより孔３１の両側縁間の水平面に対して投影した距離が小さくなる。一方電線挿入孔５より挿入された対応する電線６の心線６ａが孔３１に対して斜めに圧入される形となるため、矢印方向に荷重を変えると孔３１の両側の開口縁が心線６ａに食い込んで電線接続状態を保持する。
【００１９】
尚図７に示すようにバネ等の弾性体３２の弾発力により端子板３０を付勢するようにすれば電線６の向きを保持できる。
【００２０】
また図５中孔３１の両端の開口縁に突出させている突起３３は電線６の心線６ａがいがんで挿入されるのを防止するためのガイドである。
【００２１】
【発明の効果】
請求項１の発明では、収納用の器体に開口した電線挿入孔から挿入される電線の挿入方向に並行するように配置される端子板と、この端子板に対して電線挿入孔を挟んで並行配置される錠ばねとで構成され、錠ばねには、端子板と並行配置される基片と、この基片の電線挿入孔側に位置する一端から他端側へ向けて、且つ先端が端子板に近づくように一体延出した鎖錠ばね片と、該鎖錠ばね片と交差するように、基片の他端から一端側へ向けて且つ先部が端子板に近づくように一体延出した押圧ばね片とを有し、上記電線挿入孔から上記器体内に挿入された電線の心線を上記押圧ばね片の先部で上記端子板側へ押圧して該先部と上記端子板との間で挟持するとともに上記鎖錠ばね片の先端で上記電線の心線を鎖錠するので、鎖錠ばね片及び押圧ばね片の基端から先端まで寸法を従来例に比して長くすることができ、そのため各ばね片に加わる応力を緩和することができ、そのため電線に対する接続信頼性を向上できる。
【００２２】
請求項２の発明では、請求項１の発明において、上記錠ばねの基片側端より該基片に直交する方向に一体延出した先端に上記端子板を一体形成しているので、端子板と錠ばねとが一体化した一つの部品として扱えるので、組立加工費の低減が図れる。
【００２３】
請求項３の発明では、請求項２の発明において、並行配置される一対の錠ばねの基片を連結して一体化し、該基片の両側端より上記腕片を夫々一体延出しているので、一対の端子装置を一体化した部品として扱えるので、組立加工費の低減が図れる。
【図面の簡単な説明】
【図１】配線器具に組み込んだ本発明の実施形態１の使用状態を示す要部断面図である。
【図２】同上に用いる錠ばねの斜視図である。
【図３】本発明の実施形態２の斜視図である。
【図４】本発明の実施形態３の斜視図である。
【図５】端子装置の一例の斜視図である。
【図６】同上の使用状態説明図である。
【図７】同上の別の使用例図である。
【図８】従来例の説明図である。
【符号の説明】
１　端子金具
２　錠ばね
３　器体
４　収納部
５　電線挿入孔
１０ａ，１０ｂ　端子板
２０　基片
２１　鎖錠ばね片
２２　押圧ばね片
【図１】
2004063211.tif 000003
【図２】
2004063211.tif 000004
【図３】
2004063211.tif 000005
【図４】
2004063211.tif 000006
【図５】
2004063211.tif 000007
【図６】
2004063211.tif 000008
【図７】
2004063211.tif 000009
【図８】
2004063211.tif 000010